【手続補正書】
【提出日】平成17年1月26日(2005.1.26)
【手続補正１】
【補正対象書類名】明細書
【補正対象項目名】全文
【補正方法】変更
【補正の内容】
【書類名】      明細書
【発明の名称】  スピニングリールのロータ
【特許請求の範囲】
【請求項１】
スピニングリールのリール本体に回転自在に装着され、釣り糸をスプールに巻き付けるスピニングリールのロータであって、
前記リール本体の一端に回転自在に装着される支持部と、
前記支持部の前記リール本体側端部の径方向に対向する位置から径方向外方に凸に湾曲しつつ前記リール本体から離れる方向に延び、かつ少なくとも一方に開口が形成された第１及び第２ロータアームと、
前記両ロータアームの先端に揺動自在に装着された釣り糸案内用のベールアームと、
前記開口を有する前記第１及び第２ロータアームの外方を覆いかつ前記開口の少なくとも一部を露出する又は前記開口の全部を塞ぐように設けられその質量を調整するための質量調整部を有するカバー部材と、
を備えたスピニングリールのロータ。
【請求項２】
前記ベールアームは、前記第１及び第２ロータアームの先端にそれぞれ揺動自在に装着された第１及び第２ベール支持部材と、前記第１ベール支持部材に設けられた固定軸と、前記固定軸に回転自在に装着されたラインローラと、前記固定軸の先端に設けられた固定軸カバーと、前記第２ベール支持部材と前記固定軸カバーとを連結するベールとを有し、
前記開口は、前記第２ロータアームに形成されている、請求項１に記載のスピニングリールのロータ。
【請求項３】
前記質量調整部は、前記カバー部材を貫通する１又は複数の貫通孔である、請求項１又は２に記載のスピニングリールのロータ。
【請求項４】
前記質量調整部は、前記カバー部材に設けられた凹部である、請求項１又は２に記載のスピニングリールのロータ。
【請求項５】
前記質量調整部は、前記貫通孔又は前記凹部の周囲に形成された面取り部である、請求項３又は４に記載のスピニングリールのロータ。
【発明の詳細な説明】
【０００１】
【発明の属する技術分野】
本発明は、ロータ、特に、スピニングリールのリール本体に回転自在に装着され、釣り糸をスプールに巻き付けるスピニングリールのロータに関する。
【０００２】
【従来の技術】
スピニングリールは、一般に、釣竿に装着されるリール本体と、リール本体に回転自在に装着された釣り糸案内用のロータと、ロータにより案内された釣り糸を巻き取るスプールとを有している。ロータは、ロータ本体と、ロータ本体に揺動自在に装着されたベールアームとを有している。ロータ本体は、リール本体に回転自在に装着された円筒部（支持部の一例）と、円筒部の後端部から径方向外方に延びる対向して配置された第１及び第２ロータアームとを有している。両ロータアームは、円筒部の後端部に対向して配置された第１及び第２接続部及び各接続部から屈曲し円筒部と間隔を隔ててそれぞれ前方に延びる第１及び第２アーム部とを有している。円筒部は、後端部に他の部分より大径のリング状の大径部を有しており、大径部の外周面の対向する位置で１対の接続部が径方向外方に延びている。
【０００３】
ベールアームは、釣り糸をスプールに案内するものであり、第１アーム部の先端に揺動自在に装着された第１ベール支持部材と、第２アーム部の先端に揺動自在に装着された第２ベール支持部材と、第１ベール支持部材の先端に回動自在に装着されたラインローラと、ラインローラと第２ベール支持部材とを連結する線材製のベールとを有している。
【０００４】
この種のロータにおいて、第１及び第２接続部の回転方向の長さを長くするとともに、第１及び第２アーム部の少なくともいずれかに開口を形成したものが知られている。このように両接続部の回転方向の長さを長くすることにより、両ロータアームの回転方向の剛性を高く維持できる。また、アーム部に開口を設けることにより、ロータの軽量化を図ることができるとともに斬新な意匠を提供できる。このような開口部を有するロータが搭載されたスピニングリールにおいて、開口を有するアーム部の径方向外方をカバー部材で覆うことが従来行われている。
【０００５】
【発明が解決しようとする課題】
前述のように開口を有するアーム部をカバー部材で覆う場合、開口全部を覆うカバー部材や開口の少なくとも一部を露出させるカバー部材や開口の全部を露出させるカバー部材など開口の露出度合いを変えた複数のカバー部材を使い分けて複数機種のリールの展開を図ることが考えられる。
【０００６】
しかし、このように開口の露出度合いを変えると、露出度合いに応じてカバー部材の質量に差異が生じるため、このままではあるカバー部材でロータの回転バランスを釣り合わせると別のカバー部材でロータの回転バランスが釣り合わなくなるという問題が生じるおそれがある。
本発明の課題は、開口が形成されたロータアームを有するスピニングリールのロータにおいて、開口の露出度合いが異なるカバー部材の回転バランスの変動を抑えることができるようにすることにある。
【０００７】
【課題を解決するための手段】
発明１に係るスピニングリールのロータは、スピニングリールのリール本体に回転自在に装着され、釣り糸をスプールに巻き付けるロータであって、支持部と、第１及び第２ロータアームと、ベールアームと、カバー部材とを備えている。支持部は、リール本体の一端に回転自在に装着されるものである。第１及び第２ロータアームは、支持部のリール本体側端部の径方向に対向する位置から径方向外方に凸に湾曲しつつリール本体から離れる方向に延び、かつ少なくとも一方に開口が形成されたものである。カバー部材は、開口を有する第１及び第２ロータアームの外方を覆いかつ開口の少なくとも一部を露出する又は開口の全部を塞ぐように設けられその質量を調整するための質量調整部を有している。
【０００８】
このロータでは、開口を有するロータアームの外方に開口の露出度合いが異なるカバー部材を装着する場合、質量調整部によりカバー部材を質量を予め一定の範囲に調整することができる。たとえば、開口を全部塞ぐカバー部材又は開口を全部露出させるカバー部材を基準にして開口の少なくとも一部を露出するカバー部材の質量を質量調整部により基準となるカバー部材の質量と同じか又は所定範囲に入るように調整できる。これにより、開口の露出度合いが異なるカバー部材の回転バランスの変動を抑えることができるようになる。
【０００９】
発明２に係るスピニングリールのロータは、発明１に記載のロータにおいて、ベールアームは、第１及び第２ロータアームの先端にそれぞれ揺動自在に装着された第１及び第２ベール支持部材と、第１ベール支持部材に設けられた固定軸と、固定軸に回転自在に装着されたラインローラと、固定軸の先端に設けられた固定軸カバーと、第２ベール支持部材と固定軸カバーとを連結するベールとを有し、開口は、第２ロータアームに形成されている。この場合には、ラインローラが装着された第１ベール支持部材が装着された第１ロータアームに開口が形成されていないので、第１ロータアーム側にベール反転装置などの機構を収納しやすくなる。
【００１０】
発明３に係るスピニングリールのロータは、発明１又は２に記載のロータにおいて、質量調整部は、カバー部材を貫通する１又は複数の貫通孔である。この場合には、貫通孔により多彩な意匠の変化を実現できるとともに開口の露出度合いを変更しつつ質量の調整を行える。
発明４に係るスピニングリールのロータは、発明１又は２に記載のロータにおいて、質量調整部は、カバー部材に設けられた凹部である。この場合には、貫通しない凹部により多彩な意匠の変化を実現できるとともに開口を塞いだ状態で質量の調整を行える。
【００１１】
発明５に係るスピニングリールのロータは、発明３又は４に記載のロータにおいて、質量調整部は、貫通孔又は凹部の周囲に形成された面取り部である。この場合には、貫通孔又は凹部に加えて面取り部でも質量を調整できるので、質量の調整がさらに容易になる。
【００１２】
【発明の実施の形態】
〔全体構成及びリール本体の構成〕
図１及び図２において、本発明の一実施形態を採用したスピニングリールは、ハンドル１を回転自在に支持され釣り竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、図２に示すリール本体２の右側とのいずれにも装着可能である。
【００１３】
リール本体２は、ロータ３やスプール４を支持する筐体部２ａと、筐体部２ａに着脱自在にねじ止めされた蓋体部２ｂとを主に有している。
筐体部２ａはたとえばガラス繊維で強化されたポリアミド系合成樹脂製であり、射出成形法により製造された部材である。筐体部２ａは開口２５を有し、内部には機構収納空間２６が形成されている。機構収納空間２６には、ロータ３を回転させるためのロータ駆動機構５と、スプール４を前後移動させて釣り糸を均一に巻き取るためのオシレーティング機構６と、ハンドル１の回転をオシレーティング機構６に伝達する動力伝達機構（図示せず）とが設けられている。筐体部２ａの前部には、ロータを回転自在に支持するための略円形の回転支持部２７が設けられている。
【００１４】
蓋体部２ｂはたとえばアルミニウム合金製であり、たとえばダイキャスト法により製造された部材である。蓋体部２ｂは、図１に示すように、筐体部２ａの開口２５を覆う薄肉のカバー部３５と、カバー部３５から上方に延びる取付脚部３６とを有している。カバー部３５は、上部は、リール本体２の厚みの略半分の厚みで形成されており、下部では筐体部２ａの突出に伴ってそれより厚みが薄くなっている。
【００１５】
〔ロータの構成〕
ロータ３は、図２に示すように、後端が開口した凹陥部３ａが形成され、リール本体２の一端に回転自在に装着された円筒部３０と、円筒部３０の側方に互いに対向してそれぞれ設けられた第１及び第２ロータアーム３１，３２と、両ロータアーム３１，３２の先端に揺動自在に装着され、釣り糸をスプールに案内するベールアーム４４と、両ロータアーム３１，３２の外方を覆う第１及び第２カバー部材４６，４７とを有している。円筒部３０と両ロータアーム３１，３２とは、たとえば合成樹脂製であり一体形成されている。
【００１６】
円筒部３０は、筐体部２ａの回転支持部２７の外周側に配置されている。円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット３４が配置されており、このナット３４がピニオンギア１２の前部１２ａに形成された雄ネジ部に螺合してロータ３をピニオンギア１２に固定している。
【００１７】
第１ロータアーム３１は、図３及び図４に示すように、円筒部３０の後部外周面に配置された第１接続部３１ａと、第１接続部３１ａから外方に凸に湾曲しつつ前方に延びる第１アーム部３１ｂとを有している。第１接続部３１ａは、円筒部３０の後端部で周方向に広がっており、円筒部３０と周方向に滑らかに連続して形成されている。第１アーム部３１ｂは、第１接続部３１ａと滑らかに連続して形成され円筒部３０と間隔をあけて前方に延びている。第１アーム部３１ｂは、スプール軸１５に対して略２度の角度で先端側が拡がるように前方に延びている。第１アーム部３１ｂの先端の外周側には、第１ベール支持部材４０が揺動自在に装着されている。
【００１８】
第１ベール支持部材４０は、第１ロータアーム３１にねじ込まれた取付ピン３７により第１ロータアーム３１に取り付けられる。この取付ピン３７は引っかかりが少ない六角孔付きボルトからなり、その頭部に釣り糸が引っかかりにくくなっている。第１ベール支持部材４０の先端には、釣り糸をスプール４に案内するためのラインローラ４１と、ラインローラ４１を挟んで第１ベール支持部材４０に固定された固定軸カバー４５とが装着されている。ラインローラ４１は、第１ベール支持部材４０の先端に回転自在に装着されている。固定軸カバー４５は、先端がとがった変形円錐形状であり、固定軸カバー４５にはラインローラ４１を回転自在に支持するための固定軸４５ａが一体形成されている。固定軸４５ａの先端は、第１ベール支持部材４０に固定されている。
【００１９】
第２ロータアーム３２は、図３及び図５に示すように、円筒部３０の後部外周面に配置された第２接続部３２ａと、第２接続部３２ａから外方に凸に湾曲しつつ前方に延びる第２アーム部３２ｂとを有している。第２接続部３２ａは、円筒部３０と周方向に滑らかに連続して形成されている。第２アーム部３２ｂも、第２接続部３２ａと滑らかに連続して形成され円筒部３０と間隔をあけて前方に延びている。第２アーム部３２ｂは、スプール軸１５に対して略２度の角度で先端側が拡がるように前方に延びている。第２アーム部３２ｂは、根元側には略三角形状の開口３２ｃが形成されている。第２アーム部３２ｂの先端外周側には、第２ベール支持部材４２が揺動自在に装着されている。
【００２０】
固定軸カバー４５の先端部と第２ベール支持部材４２との間には、図３に示すように線材を略Ｕ状に湾曲させた形状のベール４３が固定されている。これらの第１及び第２ベール支持部材４０，４２、ラインローラ４１、ベール４３及び固定軸カバー４５により釣り糸をスプール４に案内するベールアーム４４が構成される。ベールアーム４４は、図２に示す糸案内姿勢とそれから反転した糸開放姿勢との間で揺動自在である。
【００２１】
第１及び第２カバー部材４６，４７は、第１及び第２ロータアーム３１，３２の外周側にはビスによりそれぞれ着脱自在に装着されている。
第１カバー部材４６は、第１ロータアーム３１の径方向外側を完全に覆う形状であり、その内部にはベールアーム４４を糸開放姿勢から糸案内姿勢にロータ３の回転に連動して復帰させるとともに、両姿勢でその状態を保持するベール反転機構４８が配置されている。
【００２２】
第２カバー部材４７は、第２ロータアーム３２の径方向外側を覆う形状である。第２カバー部材４７には、図６及び図７に示すように、第２アーム部３２ｂの開口３２ｃの一部を露出するように３つの長円形の貫通孔６５ａ，６５ｂ，６５ｃが形成されている。この貫通孔６５ａ，６５ｂ，６５ｃは、質量を調整する質量調整部として機能する。貫通孔６５ａ，６５ｂ，６５ｃは、他の部分より内方に凹んだ位置に形成されており、第２カバー部材４７の表面との間には、貫通孔６５ａ，６５ｂ，６５ｃの周縁に向けて傾斜するように僅かに凹んだ凹み部６６ａ，６６ｂ，６６ｃが形成されている。このような貫通孔６５ａ，６５ｂ，６５ｃ及び凹み部６６ａ，６６ｂ，６６ｃを設けることにより同一形状のロータアームに対して異なる意匠を提供でき、複数機種のリールの展開を図る上で機種に応じた意匠を提供できる。また、貫通孔６５ａ，６５ｂ，６５ｃにより質量を調節できるので、開口３２ｃの露出度合いが異なるカバー部材４７の回転バランスの変動を抑えることができるようになる。
【００２３】
このように構成されたロータ３では、ロータアーム３１，３２が外方に凸に湾曲して形成されているので、折れ曲がり部分がなくなり、その部分での応力集中が生じない。このため、応力が平均化されロータアームの肉厚を厚くすることなく強度を高く維持できる。したがって、ロータ３の軽量化を図りつつ強度を高く維持できる。しかも、円筒部３０と両接続部３１ａ，３２ａ及び両接続部３１ａ，３２ａと両アーム部３１ｂ，３２ｂとがそれぞれ滑らかに連続して形成されているので、それらの連続部分でも応力が集中しにくくなり、強度をより高く維持できる。さらに、第２ロータアーム３２に開口３２ｃを形成したので、より軽量化を図れる。また、両ロータアーム３１，３２の基端部が周方向に拡がるため、ロータアームの周方向の剛性も高くなり、強度をより高く維持できる。
【００２４】
ベール反転機構４８は、図４に示すように、先端が第１ベール支持部材４０に係止され、第１ロータアーム３１内を前後に移動する移動部材５５と、ベールアーム４４を糸開放姿勢と糸巻取姿勢とに振り分けて付勢するトグルばね機構５６と、回転支持部２７の前面に設けられた切換突起５７（図２）とを有している。
トグルばね機構５６は、先端が第１ベール支持部材４０に係止されたガイド軸５６ａと、ガイド軸５６ａの周囲に配置された先細りのコイルばね５６ｂとを有している。トグルばね機構５６は死点を挟んでベールアーム４４を糸開放姿勢と糸巻取姿勢とに振り分けて付勢する。トグルばね機構５６の死点は、糸開放姿勢側に近い位置に設定されている。
【００２５】
移動部材５５は、両端が逆方向に折り曲げられた線材製の部材である。移動部材５５は、リール本体２と接離する前後方向に移動自在に第１アーム部３１ｂに形成された案内溝３１ｃにより案内される。案内溝３１ｃのリール本体２側端部には、先端が半円形に切り欠かれた切欠き部３１ｄが形成されている。このように、切欠き部３１ｄの先端を半円形にすると、応力集中が生じにくくなるので、そこからのひび割れ等の損傷が生じにくくなる。移動部材５５の両端の折り曲げ角度α，βは、図８に示すように、たとえば９０度よりやや大きい９２度程度である。このように９０度よりやや大きい角度で折り曲げることにより、第１ロータアーム３１をスプール軸１５に対して２度程度先開きに形成しても、それに沿って移動部材５５を案内することができる。
【００２６】
図４に示すように、第１ロータアーム３１の根元側で移動部材５５は、押さえ部材６７により径方向外方から押さえ込まれており、浮き上がりが防止されている。押さえ部材６７は合成樹脂製の成形部材であり、移動部材５５を押さえる押さえ部６７ａと、コイルばね５６ｂの基端部を保持するばね保持部６７ｂとを有している。押さえ部材６７は、第１カバー部材４６の内面に接触して配置されており、押さえ部６７ａで移動部材５５の浮き上がりを防止している。ばね保持部６７ｂは、トグルばね機構５６のコイルばね５６ｂの基端部を一巻分前後方向で保持している。これにより、トグルばね機構５６が揺動してもコイルばね５６ｂがガイド軸５６ａに接触しにくくり、動作不良が生じにくくなる。
【００２７】
切換突起５７は、回転支持部２７の前部に前方に突出し周方向に傾斜して形成され傾斜面により構成されている。ハンドル１が糸巻取方向に回転すると、糸開放姿勢に揺動して後退した移動部材５５の基端部が切換突起５７に接触してベールアーム４４を糸案内姿勢に戻す。
また、ロータ３には、ベール反転機構４８を利用してロータ３を制動するロータ制動機構５８が設けられている。ロータ制動機構５８は、前述した移動部材５５と、糸開放姿勢のとき移動部材５５の基端面に接触するゴム製の制動部材５９とを備えている。ロータ制動機構５８では、糸開放姿勢に揺動したとき、移動部材５５が後退すると制動部材５９に接触してロータ３が制動される。この制動部材５９は、回転支持部２７に設けられた環状溝に装着されている。
【００２８】
凹陥部３ａ内にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪が筐体部２ａに固定され、内輪がピニオンギア１２に回転不能に装着されている。操作機構５２は、筐体部２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００２９】
〔スプールの構成〕
スプール４は、ロータ３の第１ロータアーム３１と第２ロータアーム３２との間に配置されており、スプール軸１５の先端にドラグ機構６０を介して固定されている。スプール４は、たとえばアルミニウム合金製の部材であり、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。糸巻胴部４ａはロータ３の円筒部３０の外周側まで延びる円筒状の部材である。
【００３０】
〔ロータ駆動機構の構成〕
ロータ駆動機構５は、図２に示すように、ハンドル１が回転不能に装着されたメインギア軸１０と、メインギア軸１０とともに回転するメインギア１１と、このメインギア１１に噛み合うピニオンギア１２とを有している。ピニオンギア１２は、ハンドルの回転に連動して回転する筒状の部材であり、前後に延びるスプール軸１５が内部を貫通している。ピニオンギア１２は、金属製の中空筒状部材であり、内部をスプール軸１５が貫通している。ピニオンギア１２は、中間部と後部とで筐体部２ａに軸受１４ａ，１４ｂを介して回転自在に支持されている。ピニオンギア１２の前部１２ａにロータ３が回転不能に装着されている。前側の軸受１４ａは、回転支持部２７の内部に装着された玉軸受である。後側の軸受１４ｂは、鍔付きのブッシュである。
【００３１】
〔オシレーティング機構の構成〕
オシレーティング機構６は、ハンドル１の回転に連動してスプール軸１５を介してスプール３を前後に往復移動させる機構である。オシレーティング機構６には動力伝達機構を介してハンドル１の回転が伝達される。オシレーティング機構６は、図２に示すように、スプール軸１５と平行に配置された螺軸２１と、螺軸２１の回転により螺軸２１に沿って前後方向に往復移動するスライダ２２と、螺軸２１の先端側に装着された従動ギア２３とを備えている。この従動ギア２３にピニオンギア１２の回転が動力伝達機構を介して減速して伝達される。スライダ２２にはスプール軸１５が回転不能に連結されており、これによりハンドル１の回転に連動して、スライダ２２が前後に移動し、スプール４が前後に往復移動する。
【００３２】
〔リールの操作及び動作〕
このスピニングリールでは、キャスティング時には、ベールアーム４４を糸巻取姿勢から糸開放姿勢に倒す。そして、釣り竿を振って仕掛けをキャスティングする。すると、スプール４の先端から釣り糸が螺旋状に放出される。
釣り糸巻取時には、ベールアーム４４を糸巻取姿勢に倒す。これは、ハンドル１を糸巻取方向に回転させるとベール反転機構４８により自動的に行われる。ハンドル１を糸巻取方向に回転させると、この回転力はメインギア軸１０及びメインギア１１を介してピニオンギア１２に伝達される。このピニオンギア１２に伝達された回転力は、ピニオンギア１２の前部１２ａを介してロータ３に伝達され、ロータ３が糸巻取方向に回転する。
【００３３】
一方、ピニオンギア１２に動力伝達機構を介して噛み合う従動ドア２３によって螺軸２１が回転する。そして、螺軸２１の回転により螺軸２１に噛み合うスライダ２２が前後方向に往復移動する。そして、ベールアーム４４によってスプール４に案内された釣り糸はスプール４の糸巻胴部４ａに巻き付けられ、スプール４に釣り糸が巻き付けられる。このロータ３回転時に第２カバー部材４７に質量調整部としての貫通孔６５ａ，６５ｂ，６５ｃを設けたので、開口の露出度合いを変えても回転バランスが変動しにくい。
【００３４】
〔他の実施形態〕
（ａ）前記実施形態では、貫通孔６５ａ，６５ｂ，６５ｃにより質量を調整するように構成したが、凹部や面取り等の形状の変化により質量調整部を構成してもよい。
（ｂ）前記実施形態では、フロントドラグ型のスピニングリールを例に説明したが、リアドラグ型やレバーブレーキ型のスピニングリールのロータにも本発明を適用できる。
【００３５】
（ｃ）前記実施形態では、第２ロータアームに開口を形成したが、第１ロータアームに開口を形成してもよい。この場合、ベール反転機構を第２ベールアームに配置してもよい。
【００３６】
【発明の効果】
本発明によれば、開口を有するロータアームの外方に開口の露出度合いが異なるカバー部材を装着する場合、質量調整部によりカバー部材を質量を予め一定の範囲に調整することができる。たとえば、開口を全部塞ぐカバー部材又は開口を全部露出させるカバー部材を基準にして開口の少なくとも一部を露出するカバー部材の質量を質量調整部により基準となるカバー部材の質量と同じか又は所定範囲に入るように調整できる。これにより、開口の露出度合いが異なるカバー部材の回転バランスの変動を抑えることができるようになる。
【図面の簡単な説明】
【図１】
本発明の一実施形態を採用したスピニングリールの左側面図。
【図２】
その左側面断面図。
【図３】
ロータの分解斜視図。
【図４】
第１ロータアームの平面図。
【図５】
第２ロータアームの平面図。
【図６】
第２カバー部材の平面図。
【図７】
図６のVII−VII断面図。
【図８】
移動部材の側面図。
【符号の説明】
２  リール本体
３  ロータ
４  スプール
３０  円筒部
３１，３２  第１及び第２ロータアーム
４０，４２  第１及び第２ベール支持部材
４３  ベール
４４  ベールアーム
４５  固定軸カバー
４５ａ  固定軸
４７  第２カバー部材
６５ａ，６５ｂ，６５ｃ  貫通孔